(57)【要約】【課題】アンテナ本体をさまざまな位置および角度に位置決めすることが可能なアンテナ支持装置を提供する。【解決手段】アンテナ支持装置２００は、アンテナ本体１０を支持するアンテナ支持部材２１０と、アンテナ支持部材２１０の回動可能に連結される連結部材２２０と、連結部材２２０に回動可能に接続される固定部材２３０とを備える。【選択図】図１
2011049848.tif 000002
【特許請求の範囲】
【請求項１】
アンテナ本体を支持するアンテナ支持部材と、
前記アンテナ支持部材に回動可能に接続されて第一の回動軸周りに回動可能な連結部材と、
前記連結部材に回動可能に接続され、前記第一の回動軸に平行な第二の回動軸周りに回動可能な、固定体に保持される固定部材とを備えた、アンテナ支持装置。
【請求項２】
前記第一の回動軸は前記アンテナ支持部材および前記連結部材を貫通する第一ボルトを含み、前記第二の回動軸は前記連結部材および前記固定部材を貫通する第二ボルトを含む、請求項１に記載のアンテナ支持装置。
【請求項３】
前記固定部材には、ポールの形状に対応した凹部が設けられる、請求項１または２に記載のアンテナ支持装置。
【請求項４】
請求項１から３のいずれか１項に記載のアンテナ支持装置と、前記アンテナ支持装置に支持される前記アンテナ本体とを備えた、アンテナ装置。
【請求項５】
前記アンテナ本体の底面部には前記アンテナ本体で受信した信号を出力する端子が設けられる、請求項４に記載のアンテナ装置。
【発明の詳細な説明】
【技術分野】
【０００１】
この発明は、アンテナ支持装置およびアンテナ装置に関し、より特定的には、アンテナ本体を支持するアンテナ支持装置およびそれを用いたアンテナ装置に関するものである。
【背景技術】
【０００２】
従来、アンテナの支持装置は、たとえば実開昭６３−１５６１３号公報（特許文献１）に開示されている。
【先行技術文献】
【特許文献】
【０００３】
【特許文献１】実開昭６３−１５６１３号公報
【発明の概要】
【発明が解決しようとする課題】
【０００４】
特許文献１に記載の技術では、アンテナの背面に設けられ取付対象と直交する軸との方向を傾斜させてアンテナの主ビーム方向を調整する方向調整手段と、この方向調整手段に連結して設けられたアンテナを取付対象と直交する軸の主方向に回動させる回動調整手段とを具備したアンテナ方向調整装置が開示されている。また、アンテナは方向調整手段および回動調整手段を介して取付部材に取付けられた後、取付対象に固定される。
【０００５】
このような技術では、アンテナを設置した場所で、電波到来方向に向ける場合、その方向に向けて平行移動させることができなという問題があった。
【０００６】
そこで、この発明は上述のような問題点を解決するためになされたものであり、アンテナを設置した場所で電波到来方向に向け、その方向からの電波を良好に受信することが可能なアンテナ装置およびアンテナ支持装置を提供することを目的とする。
【課題を解決するための手段】
【０００７】
この発明に従ったアンテナ支持装置は、アンテナ本体を支持するアンテナ支持部材と、アンテナ支持部材に回動可能に接続されて第一の回動軸周りに回動可能な連結部材と、連結部材に回動可能に接続されて第一の回動軸と平行な第二の回動軸周りに回動可能な、固定体に保持される固定部材とを備える。
【０００８】
このように構成されたアンテナ支持装置では、アンテナ本体を支持するアンテナ支持部材は第一の回動軸およびそれに平行な第二の回動軸の２つの軸周りを回動可能であるため、さまざまな角度および位置にアンテナ本体を向けることができる。
【０００９】
好ましくは、第一の回動軸はアンテナ支持部材および連結部材を貫通する第一ボルトを含み、第二の回動軸は連結部材および固定部材を貫通する第二ボルトを含む。
【００１０】
好ましくは、固定部材には、ポールの形状に対応した凹部が設けられる。
この発明に従ったアンテナ装置は、上記のアンテナ支持装置と、アンテナ支持装置に支持されるアンテナ本体とを備える。
【００１１】
好ましくは、アンテナ本体の底面部にはアンテナ本体で受信した信号を出力する端子が設けられる。
【発明の効果】
【００１２】
この発明に従えば、アンテナ本体をさまざまな方向に調整し最良の受信状態の方向に向けることが可能なアンテナ支持装置およびそれを用いたアンテナ装置を提供することができる。
【図面の簡単な説明】
【００１３】
【図１】実施の形態に従ったアンテナ支持装置が壁面に取り付けられた状態を示す平面図である。
【図２】実施の形態に従ったアンテナ支持装置におけるアンテナの支持状態を説明するための図である。
【図３】図２で示す状態からさらに連結部材が回動した、アンテナ支持装置におけるアンテナの支持状態を説明するための図である。
【図４】図３で示す状態からさらに連結部材が回動した、アンテナ支持装置におけるアンテナの支持状態を説明するための図である。
【図５】実施の形態に従ったアンテナ支持装置の一部分を構成する固定部材の斜視図である。
【図６】実施の形態に従ったアンテナ支持装置の一部分を構成するアンテナ支持部材の斜視図である。
【図７】太いポールに取付けられるアンテナ支持装置およびそれを用いたアンテナ装置の斜視図である。
【図８】図７中の矢印ＶＩＩＩで示す方向から見たアンテナ支持装置およびポールの底面図である。
【図９】細いポールに取付けられるアンテナ支持装置およびそれを用いたアンテナ装置の斜視図である。
【図１０】図９中の矢印Ｘで示す方向から見たアンテナ支持装置およびポールの底面図である。
【図１１】壁面の端部に取付けられる、実施の形態に従ったアンテナ支持装置およびアンテナ装置の正面図である。
【図１２】図１１中の矢印ＸＩＩで示す方向から見たアンテナ支持装置およびアンテナ装置の平面図である。
【図１３】実施の形態に従ったアンテナ支持装置およびアンテナ装置の背面図である。
【図１４】図１３中の矢印ＸＩＶで示す方向から見たアンテナ支持装置およびアンテナ装置の底面図である。
【発明を実施するための形態】
【００１４】
以下、この発明の実施の形態について、図面を参照して説明する。なお、以下の実施の形態では同一または相当する部分については同一の参照符号を付し、その説明については繰返さない。
【００１５】
図１は、実施の形態に従ったアンテナ装置が壁面に取付けられた状態を示す平面図である。図１を参照して、アンテナ装置１は、本体内に例えば地上デジタル放送を受信するアンテナ本体１０と、アンテナ本体１０を支持するアンテナ支持装置２００とを有する。アンテナ支持装置２００は、固定体としての壁面５００にネジ等を用いて取付けられている。アンテナ支持装置２００は、壁面５００とアンテナ本体１０との間に介在している。
【００１６】
アンテナ支持装置２００は、アンテナ本体１０側に設けられるアンテナ支持部材２１０と、アンテナ支持部材２１０に回動可能に取付けられる連結部材２２０と、連結部材２２０の回動可能に取付けられて壁面５００に固定される固定部材２３０とを有する。
【００１７】
アンテナ本体１０には、少なくとも反射器および放射器が収納されている。なお、アンテナ本体１０内に導波器が収納されていてもよい。
【００１８】
アンテナ本体１０に、アンテナ支持部材２１０はたとえばボルトにより固定される。アンテナ支持部材２１０の凹部２１２がアンテナ本体１０と向かい合うように配置される。アンテナ支持部材２１０はたとえば金属板を加工することにより構成される。なお、アンテナ支持部材２１０の構成は、金属に限られず、プラスチックなどの材料で構成されてもよい。
【００１９】
第一の回動軸を構成する第一ボルト２１１により、アンテナ支持部材２１０と連結部材２２０とが接合される。第一ボルト２１１は、回動軸を構成し、アンテナ支持部材２１０が連結部材２２０に対して回動可能なようにアンテナ支持部材２１０を連結部材２２０に接続する。
【００２０】
連結部材２２０は板状であり、一方端側に第一ボルト２１１が取付けられ、他方端に第二ボルト２３１が取付けられる。第二ボルト２３１は、連結部材２２０を固定部材２３０に回動可能に取付ける。
【００２１】
固定部材２３０の凹部２３２が壁面５００と向かい合う。第二ボルト２３１は第二の回動軸を構成している。
【００２２】
図２は、実施の形態に従ったアンテナ支持装置におけるアンテナの支持状態を説明するための図である。図２を参照して、図１で示す位置から、連結部材２２０が第二ボルト２３１を中心として回動することが可能である。これにより、連結部材２２０は壁面５００に対して傾斜することが可能となる。それにより、連結部材２２０の先端に取付けられたアンテナ支持部材２１０およびアンテナ本体１０は壁面５００に対して回動することが可能である。なお、図２で示したように、所定の角度回動した連結部材２２０に接続されたアンテナ支持部材２１０は二点鎖線で示す位置まで回動することが可能である。すなわち、アンテナ本体１０をさまざまな角度に回動させることが可能である。
【００２３】
図３は、図２で示す状態からさらに連結部材が回動した、アンテナ支持装置におけるアンテナの支持状態を説明するための図である。図３を参照して、図２で示す状態からさらに連結部材２２０を壁面５００に対して回動させることが可能である。これにより、壁面５００と連結部材２２０とのなす角度が大きくなる。これにより、アンテナ本体１０の回動角度も大きくなる。
【００２４】
図４は、図３で示す状態からさらに連結部材が回動した、アンテナ支持装置におけるアンテナの支持状態を説明するための図である。図２と同じ図である。図４で示すように、連結部材２２０が壁面５００とほぼ直交するように連結部材２２０を回動させることが可能である。この場合、アンテナ本体１０も、壁面５００との直角に近い角度をなすようにアンテナ本体１０を回動させることができる。この場合、回動角度が最大となる。
【００２５】
図５は、実施の形態に従ったアンテナ支持装置の一部分を構成する固定部材の斜視図である。図６は、実施の形態に従ったアンテナ支持装置の一部分を構成するアンテナ支持部材の斜視図である。図５および図６を参照して、アンテナ支持装置を構成するアンテナ支持部材２１０および固定部材２３０はともに板状であり、その中央部に凹部２１２，２３２が設けられている。アンテナ支持部材２１０および固定部材２３０が同じ形状とされてもよい。アンテナ支持部材２１０および固定部材２３０には複数の貫通穴が設けられている。この貫通穴にボルトを通し、このボルトでアンテナ本体１０または壁面５００にアンテナ支持部材２１０および固定部材２３０を取付けることが可能となる。
【００２６】
図７は、太いポールに取付けられるアンテナ支持装置およびそれを用いたアンテナ装置の斜視図である。図８は、図７中の矢印ＶＩＩＩで示す方向から見たアンテナ支持装置およびポールの底面図である。図７および図８を参照して、太いポール２５０にアンテナ装置１を取付ける場合には、バンド２６１を用いる。バンド２６１は固定部材２３０に固定される。バンド２６１は太いポール２５０を取囲み、バンド２６１を締めることでポール２５０にアンテナ装置１を固定することが可能である。
【００２７】
図８で示すように、アンテナ本体１０の底面には出力用の端子１９が設けられている。この端子１９に信号線を接続することにより、アンテナ本体１０にて受信した例えば地上デジタル放送のテレビジョン信号を他の装置、例えばテレビ受信機へ送ることが可能となる。
【００２８】
図８で示したポール２５０は円形であり、その円の一部が凹部２３２に嵌まり合っている。なお、ポール２５０は図８で示すような円柱形状である必要はなく、角柱、または楕円柱形状であってもよい。
【００２９】
図９は、細いポールに取付けられるアンテナ支持装置およびそれを用いたアンテナ装置の斜視図である。図１０は、図９中の矢印Ｘで示す方向から見たアンテナ支持装置およびポールの底面図である。図９および図１０を参照して、より細いポール２６０にアンテナ装置１を取付ける場合には、金具１７１およびボルト１７２を用いる。すなわち、金具１７１およびボルト１７２を用いて、ポール２６０に固定部材２３０を取付ける。具体的には、固定部材２３０と金具１７１との間に、ボルト１７２を用いてポール２６０を挟み込む。これにより、アンテナ装置１をポール２６０に取付けることが可能となる。
【００３０】
図１１は、壁面の端部に取付けられる、実施の形態に従ったアンテナ支持装置およびアンテナ装置の正面図である。図１２は、図１１中の矢印ＸＩＩで示す方向から見たアンテナ支持装置およびアンテナ装置の平面図である。図１１および図１２を参照して、壁面の第一面５０１と第二面５０２とが直交する場合において、第一面５０１側にアンテナ支持装置２００を取付け、連結部材２２０を固定部材２３０に回動させることで、第二面５０２と平行な位置にアンテナ本体１０を位置決めすることができる。なお、図１１で示す位置から連結部材２２０を９０°回動させることで、アンテナ本体１０を、第一面５０１と平行な位置に位置決めすることが可能となる。
【００３１】
図１３は、実施の形態に従ったアンテナ支持装置およびアンテナ装置の背面図である。図１４は、図１３中の矢印ＸＩＶで示す方向から見たアンテナ支持装置およびアンテナ装置の底面図である。図１３および図１４を参照して、アンテナ本体１０の背面にアンテナ支持装置２００のアンテナ支持部材２１０、連結部材２２０および固定部材２３０が設けられている。互いに平行に延びる第一ボルト２１１および第二ボルト２３１は距離を隔てて平行に配置されている。アンテナ本体１０の底面部１８には、端子１９が設けられている。
【００３２】
アンテナ本体１０は、この実施の形態では四角形状であるが、アンテナ本体１０の形状はこれに限られず、多角形状、円形状、楕円形状などであってもよい。さらに、この実施の形態では厚みに対して幅と高さが大きい偏平形状のアンテナを示したが、これに限られず、厚み、幅および高さが同程度のアンテナ本体１０を用いてもよい。
【００３３】
また、底面部１８には受信した信号を出力する端子１９を設けているため、端子１９とケーブルを接続しやすいという効果がある。端子１９は、底面部１８にのみ設けられるものではなく、底面部１８以外に端子１９を設けてもよい。
【００３４】
このように構成されたアンテナ支持装置２００は、アンテナ本体１０を支持するアンテナ支持部材２１０と、アンテナ支持部材２１０に回動可能に接続されて第一ボルト２１１周りに回動可能な連結部材２２０と、連結部材２２０の回動可能に接続され、第一ボルト２１１と平行な第二ボルト２３１周りに回動可能な固定部材２３０とを備える。
【００３５】
このように構成されたアンテナ支持装置２００およびそれを用いたアンテナ装置１では、２つの回動軸である第一ボルト２１１および第二ボルト２３１周りにアンテナ本体１０を回動させることが可能となり、さまざまな位置および角度にアンテナ本体１０を位置決めすることができる。
【００３６】
このように、さまざまな方向にアンテナ方向を向けることにより、より広い範囲からの放送電波を受信することができる。よって、従来に比べアンテナ装置を設置する場所の制約を受けることなく自由度の高い、つまり方向調整範囲を広くしたアンテナ支持装置およびアンテナ装置を提供することができる。
【００３７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３８】
この発明は、アンテナ装置の分野において用いることができる。
【符号の説明】
【００３９】
１  アンテナ装置、１０  アンテナ本体、１２  延在部、１８  底面部、１９  端子、１７１  金具、１７２  ボルト、２００  アンテナ支持装置、２１０  アンテナ支持部材、２１１  第一ボルト、２２０  連結部材、２３０  固定部材、２３１  第二ボルト、２１２，２３２  凹部、２５０，２６０  ポール、２６１  バンド、５００  壁面、５０１  第一面、５０２  第二面。
【図１】
2011049848.tif 000003
【図２】
2011049848.tif 000004
【図３】
2011049848.tif 000005
【図４】
2011049848.tif 000006
【図５】
2011049848.tif 000007
【図６】
2011049848.tif 000008
【図７】
2011049848.tif 000009
【図８】
2011049848.tif 000010
【図９】
2011049848.tif 000011
【図１０】
2011049848.tif 000012
【図１１】
2011049848.tif 000013
【図１２】
2011049848.tif 000014
【図１３】
2011049848.tif 000015
【図１４】
2011049848.tif 000016